(57)【特許請求の範囲】
【請求項１】
円筒状のフレームと、
このフレームの軸方向の中央部の内周面に設けられたステータ鉄心と、
このステータ鉄心の内周部に設けられた複数の軸方向の第１の溝群と、
この第１の溝群と係合するステータコイルと、
前記フレームの両端部のうち一端と係合する第１のブラケットと、
前記フレームの両端部のうち他端と係合する第２のブラケットと、
前記第１のブラケットと前記第２のブラケットと係合する軸受けと、
この軸受けにより回転自在に支持されるロータシャフトと、
このロータシャフトの軸方向中央部に設置されたロータ鉄心と、
このロータ鉄心の外周面に設けられた複数の軸方向の第２の溝群と、
この第２の溝群と係合するロータバーと、
を備える車両駆動用電動機において、
入気側に配置された前記第１のブラケットと係合し、略円状で径が大きくなるに従い一様に軸方向中心に向かって沿った形状のカバーと、
このカバーと前記第１のブラケットに囲まれた空間である外気進入風道と、
前記カバーの中心に設けられた外気取り入れ口と、
前記外気進入風道と車両駆動用電動機内とを連通し、前記第１のブラケットに設けられた複数の入気口と
前記カバーの外周部に設けられた塵埃排出口と、
前記外気進入風道内に前記ロータシャフトを中心に放射状に配置された複数の整風板と、
前記第２のブラケットに設けられ、空気を排出する排出口と、
前記排出口と前記ロータ鉄心の間に設けられた主ファンとを有し、
塵埃を含んだ空気は前記塵埃排出口から機外へ排出されることを特徴とする車両駆動用電動機。
【請求項２】
円筒状の固定子と
この固定子と一定の隙間をもって配置された回転子と、
前記固定子の両端と係合するブラケットと、
前記ブラケットに係合し前記回転子を回転自在に支持する軸受けと
を備える車両駆動用電動機において、
前記一方のブラケットと係合する略円形状のカバーと、
前記カバーと前記一方のブラケットの空隙である外気取り入れ口と、
前記カバーの外周上に設けられた塵埃排出口と、
前記外気取り入れ口から流入する外気を取り入れるために前記一方のブラケットに設けられた複数の入気口と
外気を排出するために前記他方のブラケットに設けられた排出口と
前記回転子と係合し前記排出口側の機内に設けられた主ファンと、
前記回転子と係合し前記入気口側の機外に設けられた補助ファンとを備え、
前記複数の入気口は、前記補助ファンの羽根の先端部よりも外周側に設けられることを特徴とする車両駆動用電動機。
【請求項３】
円筒状のフレームと、
このフレームの軸方向の中央部の内周面に設けられたステータ鉄心と、
このステータ鉄心の内周部に設けられた複数の軸方向の第１の溝群と、
この第１の溝群と係合するステータコイルと、
前記フレームの両端部のうち一端と係合する第１のブラケットと、
前記フレームの両端部のうち他端と係合する第２のブラケットと、
前記第１のブラケットと前記第２のブラケットと係合する軸受けと、
この軸受けにより回転自在に支持されるロータシャフトと、
このロータシャフトの軸方向中央部に設置されたロータ鉄心と、
このロータ鉄心の外周面に設けられた複数の軸方向の第２の溝群と、
この第２の溝群と係合するロータバーと、
を備える車両駆動用電動機において、
入気側に配置された前記第１のブラケットと係合するカバーと、
このカバーと前記第１のブラケットに囲まれた空間である外気進入風道と、
前記カバーの中心に設けられた開放部である外気取り入れ口と、
前記外気進入風道と車両駆動用電動機内とを連通する前記第１のブラケットに
設けられた複数の入気口と
前記カバーに設けられた塵埃排出口と、
前記外気進入風道内に設けられた補助ファンと、
前記第２のブラケットに設けられ、空気を排出する排出口と、
前記排出口と前記ロータ鉄心の間に設けられた主ファンとを備え、
前記複数の入気口は、前記補助ファンの羽根の先端部よりも外周側に設けられることを特徴とする車両駆動用電動機。
【請求項４】
前記請求項２及び請求項３記載の車両駆動用電動機において、
前記主ファンの通風能力が前記補助ファンの通風能力よりも大きいことを
特徴とする車両駆動用電動機。
【請求項５】
前記請求項２及び請求項３記載の車両駆動用電動機において、
前記主ファンの羽根の枚数と前記補助ファンの羽根の枚数が互いに割り切れない値になっていることを、
特徴とする車両駆動用電動機。
【発明の詳細な説明】
【０００１】
【発明の属する技術分野】
本発明は、車両駆動用電動機に関するものである。
【０００２】
【従来の技術】
鉄道車両は、車両床下に台車を配置している。台車には、車両用駆動用電動機が配置されている。車両用駆動用電動機が駆動することにより、歯車装置を介して車輪に車両用駆動用電動機の回転力が伝達し車両を走行させる。
従来の車両駆動用電動機について図を参照し詳細に説明する。図６は、従来の車両駆動用電動機の断面図である。
従来の車両駆動用電動機は、フレーム１，ブラケット２，ハウジング３，軸受け４，軸受け５，ロータシャフト６，ロータ鉄心７，ロータバ−８，エンドリング９，ステータ鉄心１０，ステータコイル１１，送風ファン１２，検出板13，速度センサー１４，入気口１５，排出口１６，通風ろ過器１７により構成されている。
このように構成された車両駆動用電動機において、円筒状のフレーム１の一端に、ブラケット２が接続されている。また円筒状のフレーム１の他端には、ハウジング３が接続されている。軸受け４は、ブラケット２の中心部と係合する。軸受け５は、ハウジング３の中心部と係合する。ロータシャフトの両端部は、軸受け４及び軸受け５と係合している。ロータシャフト６は、自在に回転できる。ロータ鉄心７は、ロータシャフト６の長手中央部分に接続されている。ロータ鉄心７の内周面には、多数の溝が設けられている。ロータバー８は、ロータ鉄心７の内周面に設けられた多数の溝と係合する。ロータバー８の両端は、エンドリング9と係合している。またフレーム１の内周面には、ステータ鉄心１０が係合している。このステータ鉄心の内周面には、多数の溝が形成されている。ステータコイル１１は、ステータ鉄心１０の内周面に形成された溝と係合する。このステータコイル１１のコイルエンド部は、ステータ鉄心１０の両側に張り出している。ロータ鉄心７の外周面とステータ鉄心１０の内周面は、接触をせず、一定の距離を保つように空隙が形成されている。ロータシャフトの駆動側端６ａは枠外に突出し、この部分に歯車装置（図示しない）と係合するための継手が接続されている。ロータシャフト６の駆動側に通風ファン１２が固定されている。検出板１３は、ロータシャフトの反駆動側端６ｂの外周部に係合している。速度センサー１４は、検出板１３と一定の間隔を持ってフレーム１と係合されている。フレーム１の上部には、入気口１5が設けられている。ブラケット２には、複数の排気口１6が設けられている。通風ろ過器１７は、フレーム１の入気口と係合する。
【０００３】
このように構成された車両駆動用電動機において、車両駆動用電動機駆動時には、ステータコイル１１及びロータバー８が発熱するため、外気を車両駆動用電動機内に流入させ、ステータコイル１１及びロータバー８を冷却し温度上昇を防いでいる。
このように構成された車両駆動用電動機において、送風ファン12は、ロータシャフト６と係合する。７枚のファン羽根12aは、送風ファン１２に係合する。
このように構成された車両駆動用電動機において、外気は、通風ろ過器１７から流入し、入気口１５を通る。その後ロータ鉄心７とロータバー８の間やステータコイル１１とロータバー８の間などを通る。ロータ鉄心７とロータバー８の間などを通った空気は、通風ファン１２により排気口１６を通り車両駆動用電動機外に吐き出される。
このように構成された車両駆動用電動機において、外気が車両駆動用電動機内に流入する際に、通風ろ過機１７を最初に通る。外気は、通風ろ過機１７のフィルター１７ａにより埃や塵といった異物が排除される。そのため、車両駆動用電動機内には、埃や塵などの異物の混入を防ぐことが出来る。
【０００４】
【発明が解決しようとする課題】
しかし、フィルター１７ａにより、外気から塵や埃などの異物を除去するため、フィルター１７ａは頻繁に取り替え、メンテナンスをしなければいけない。また、フィルター１７ａを取り替えずに長時間使用した場合、フィルター１７ａに目詰まりが生じ冷却効率の低下が生じる。冷却効率が低下すると、車両駆動用電動機内の温度が上昇しやすくなるため、機器の破損や機器寿命の低下などがおこる。
また、フィルター１７ａの目詰まりの防止のために、フィルター１７ａの目を粗いものに変えるという方法も考えられる。しかし、フィルター１７ａの目を粗くした場合、車両駆動用電動機内に塵や埃などの異物が混入した外気が流入してしまう。埃や塵などの異物が混入した外気が車両駆動用電動機内に流入した場合、ロータ鉄心７とロータバー８の間の空間に埃や塵などの異物が溜まり通風量の減少や放熱性の低下などがおこる。そのため、フィルター１７ａの目を粗くするという方法においても、車両駆動用電動機をこまめにメンテナンスしなければならない。そのため、車両駆動用電動機では、メンテナンス周期の延長が切実に求められている。
【０００５】
そこで本発明の目的は、通風ろ過器を用いることなく、電動機内の汚損を防いで保守の省力化を図ることができる車両駆動用電動機を提供することにある。
【０００６】
【課題を解決するための手段】
本発明の車両駆動用電動機は、円筒状のフレームと、このフレームの軸方向の中央部の内周面に設けられたステータ鉄心と、このステータ鉄心の内周部に設けられた複数の軸方向の第１の溝群と、この第１の溝群と係合するステータコイルと、前記フレームの両端部のうち一端と係合する第１のブラケットと、前記フレームの両端部のうち他端と係合する第２のブラケットと、前記第１のブラケットと前記第２のブラケットと係合する軸受けと、この軸受けにより回転自在に支持されるロータシャフトと、このロータシャフトの軸方向中央部に設置されたロータ鉄心と、このロータ鉄心の外周面に設けられた複数の軸方向の第２の溝群と、この第２の溝群と係合するロータバーと、を備える車両駆動用電動機において、入気側に配置された前記第１のブラケットと係合し、略円状で径が大きくなるに従い一様に軸方向中心に向かって沿った形状のカバーと、このカバーと前記第１のブラケットに囲まれた空間である外気進入風道と、前記カバーの中心に設けられた外気取り入れ口と、前記外気進入風道と車両駆動用電動機内とを連通し、前記第１のブラケットに設けられた複数の入気口と、前記カバーの外周部に設けられた塵埃排出口と、前記外気進入風道内に前記ロータシャフトを中心に放射状に配置された複数の整風板と、前記第２のブラケットに設けられ、空気を排出する排出口と、前記排出口と前記ロータ鉄心の間に設けられた主ファンとを有し、塵埃を含んだ空気は前記塵埃排出口から機外へ排出されることを特徴とする。
【０００７】
本発明の車両駆動用電動機は、円筒状の固定子と、この固定子と一定の隙間をもって配置された回転子と、前記固定子の両端と係合するブラケットと、前記ブラケットに係合し前記回転子を回転自在に支持する軸受けとを備える車両駆動用電動機において、前記一方のブラケットと係合する略円形状のカバーと、前記カバーと前記一方のブラケットの空隙である外気取り入れ口と、前記カバーの外周上に設けられた塵埃排出口と、前記外気取り入れ口から流入する外気を取り入れるために前記一方のブラケットに設けられた複数の入気口と、外気を排出するために前記他方のブラケットに設けられた排出口と、前記回転子と係合し前記排出口側の機内に設けられた主ファンと、前記回転子と係合し前記入気口側の機外に設けられた補助ファンとを備え、前記複数の入気口は、前記補助ファンの羽根の先端部よりも外周側に設けられることを特徴とする。本発明の車両駆動用電動機は、円筒状のフレームと、このフレームの軸方向の中央部の内周面に設けられたステータ鉄心と、このステータ鉄心の内周部に設けられた複数の軸方向の第１の溝群と、この第１の溝群と係合するステータコイルと、前記フレームの両端部のうち一端と係合する第１のブラケットと、前記フレームの両端部のうち他端と係合する第２のブラケットと、前記第１のブラケットと前記第２のブラケットと係合する軸受けと、この軸受けにより回転自在に支持されるロータシャフトと、このロータシャフトの軸方向中央部に設置されたロータ鉄心と、このロータ鉄心の外周面に設けられた複数の軸方向の第２の溝群と、この第２の溝群と係合するロータバーと、を備える車両駆動用電動機において、入気側に配置された前記第１のブラケットと係合するカバーと、このカバーと前記第１のブラケットに囲まれた空間である外気進入風道と、前記カバーの中心に設けられた開放部である外気取り入れ口と、前記外気進入風道と車両駆動用電動機内とを連通する前記第１のブラケットに設けられた複数の入気口と前記カバーに設けられた塵埃排出口と、前記外気進入風道内に設けられた補助ファンと、前記第２のブラケットに設けられ、空気を排出する排出口と、前記排出口と前記ロータ鉄心の間に設けられた主ファンとを備え、前記複数の入気口は、前記補助ファンの羽根の先端部よりも外周側に設けられることを特徴とする。
【０００８】
【発明の実施の形態】
（第１の実施の形態）
本発明に基づく第１の実施形態の車両駆動用電動機について、図を参照し詳細に説明する。図１は、第１の実施形態の車両駆動用電動機の断面図である。図２は、第１の実施形態の車両駆動用電動機の正面図である。なお、図6と構造上同一のものには、同符号を付して説明を省略する。
本発明に基づく第１の実施形態の車両駆動用電動機は、フレーム１，ブラケット２，軸受け４，軸受け５，ロータシャフト６，ロータ鉄心７，ロータバー８，エンドリング９，ステータ鉄心10，ステータコイル１１，送風ファン１２，検出板１３，速度センサー１４，入気口１５，排気口１６，ブラケット１８，整風板１９，カバー２０，外気進入風道２０ａ，外気取り入れ口２１，塵埃排出口２２により構成されている。
このように構成された車両駆動用電動機において、ブラケット１８の外周部とカバー２０の外周部が接続されている。ブラケット１８には、複数の整風板１９が等間隔で放射状に配置されている。カバー１８の中心部分には、入気口１５が設けられている。カバー２０の端部には、塵埃排出口２２が設けられている。カバー２０とのブラケット１８に囲まれ、外気の進入する空間のことを外気進入風道２０ａとする。
【０００９】
このように構成された車両駆動用電動機において、ブラケット１８の外径部分には、複数の穴があけられている。ブラケット１８の外径部分にあけられている複数の穴は、入気口15として使用される。カバー２０の中心部は、穴があけてあり、カバー２０は、略円状の鉄板であるが、径が大きくなるに従って一様に軸長手方向、中心に向かって沿っている形状になっている。
このように構成された車両駆動用電動機において、車両駆動用電動機駆動時には、送風ファン12も回転する。送風ファン１２は、回転し車両駆動用電動機内の空気を排気口１６から排出すると同時に外気取り入れ口２１から外気を機内に吸引する。外気取り入れ口２１から吸引された外気は、外気取り入れ口２１から、カバー２０とブラケット１８と整風板１９によって囲まれた空間を流れる。カバー２０，ブラケット１８，整風板１９によって囲まれた空間から流れてきた外気のうち、質量の重い塵や埃などの異物とわずかな空気は、遠心作用によりカバー２０の端部に設けられた塵埃排出口２２より、車両駆動用電動機外に排出される。カバー２０，ブラケット１８，整風板１９によって囲まれた空間から流れてきた外気のうち大部分の空気は、向きを反転して入気口１５へと流入する。入気口１５から流入してきた塵や埃などの異物が取り除かれた空気は、ロータ鉄心７とロータバー８の間の空間や、ロータバー８とステータ鉄心１０の間の空間を流れる。
【００１０】
空気が、ロータ鉄心７とロータバー８の間の空間や、ロータバー８とステータ鉄心１０の間の空間を流れることにより、熱の発生しやすいロータバー８やステータコイル１１が冷却される。
このように構成された車両駆動用電動機において、車両駆動用電動機内には、塵や埃のない空気が流れる。そのため、車両駆動用電動機内が汚れづらくなっている。車両駆動用電動機内が汚れづらくなっているため、メンテンス期間の延長を図ることができる。
このように構成された車両駆動用電動機において、冷却風は、送風ファン１２の内径側を沿って排出されるため、ロータ鉄心７やロータバー８を冷却し高温となった空気が軸受け５付近に当たることがない。軸受け５付近にロータ鉄心７やロータバー８を冷却し高温となった空気が当たらないため、結果として軸受け５の温度上昇を防止することが出来る。
このように構成された車両駆動用電動機において、従来のフィルター１７を使用していた車両駆動用電動機も、フィルター１７を取りはずし、本実施形態のカバー20を取り付けブラケットの入気口15の位置だけを直すことにより、本実施形態の車両駆動用電動機に改造することができる。本実施形態の車両駆動用電動機を用いれば、従来の車両駆動用電動機を改造し、従来の車両駆動用電動機についても、メンテナンス期間の延長を実現することができる。
【００１１】
（第２の実施の形態）
本発明に基づく第２の実施の形態の車両駆動用電動機について、図を参照して詳細に説明する。図３は、本発明に基づく第２の実施形態の車両駆動用電動機の断面図である。図４は、本発明に基づく第２の実施形態の正面図である。図１に記載のものと構造上同一のものについては、同符号を付して説明を省略する。
本実施形態の車両駆動用電動機は、フレーム１，ブラケット２，軸受け４，軸受け５，ロータシャフト６，ロータ鉄心７，ロータバー８，エンドリング９，ステータ鉄心１０，ステータコイル１１，主ファンである送風ファン１２，検出板１３，速度センサー１４，入気口１５，排気口１６，ブラケット１８，カバー２０，外気進入風道２０ａ，外気取り入れ口21，塵埃排出口２２，補助ファンである加速ファン２３，ファン羽根２４により構成されている。
このように構成された車両駆動用電動機において、送風ファン１２はロータシャフト６としまりばめを用いて結合されている。ロータシャフト６と結合している送風ファン１２は、軸受け４を支えている。加速ファン２３は、ブラケット１８とカバー２０の間のロータシャフト６と係合する。５枚のファン羽根２４は、ブラケット２３のカバー側に係合する。
【００１２】
このように構成された車両駆動用電動機において、加速ファン２３の風量は、送風ファン１２の略半分となっている。また、加速ファン２３の羽根の枚数と送風ファン１２の羽根の枚数は、異なったものにしてあり、更に加速ファン２３と送風ファン１２の羽根の枚数は、互いに割り切れない枚数になっている。
このように構成された車両駆動用電動機において、送風ファン１２とともに、加速ファン２３が同時に駆動する。加速ファン２３がない場合、送風ファン１２が主ファンとして駆動すると、フレーム１，ブラケット２，ブラケット１８に囲まれた空間には、負圧が生じる。しかし本実施形態の車両駆動用電動機では、加速ファン23が補助ファンとして駆動するため、入気口１５と排気口１６の圧力差は軽減される。
このように構成された車両駆動用電動機において、ロータシャフトが回転すると、送風ファン１２と加速ファン１８が回転する。外気は、外気取り入れ口２１から流入する。外気は、カバー２０がカーブ形状になっているため急旋回するが、外気に含まれる塵や埃などといった異物は、旋回できず塵埃排出口から機外へ排出される。異物の取り除かれた外気は、入気口１５から流入し、ロータ鉄心７とロータバー８の間の空間や、ローターバー８とステータコイル１１の間の空間を流れ、送風ファン１２地点まで到達する。外気は、送風ファン１２により排出口１６から機外へ排出される。
【００１３】
このように構成された車両駆動用電動機において、送風ファンの羽根12aの先端部が、排出口１６と対面した配置になっているため、従来の車両駆動用電動機より、排出力が高い。外気の排出能力が高いため、車両駆動用電動機内に熱がこもることがないといった利点がある。
このように構成された車両駆動用電動機において、冷却風は、送風ファン１２の内径側を沿って排出されるため、ロータ鉄心７やロータバー８を冷却し高温となった空気が軸受け５付近に当たることがない。軸受け５付近にロータ鉄心７やロータバー８を冷却し高温となった空気が当たらないため、結果として軸受け５の温度上昇を防止することが出来る。
このように構成された車両駆動用電動機において、加速ファン２３がブラケット１８の外側（ロータシャフト長手方向駆動端側）に設置されている。加速ファン２３がブラケット１８の外側に設置されているため、ファン羽根２４の大きさを自由に変えることが出来る。ファン羽根２４の大きさを自由に変えることができるため、大量の熱が発生する電動機でも充分に冷却することが出来る。また、熱が少量しか発生しない比較的小さな車両駆動用電動機においても、ファン羽根を小さくすることにより消音化を実現できる。
【００１４】
このように構成された車両駆動用電動機において、加速ファン１２が軸受け４も支持しているため、従来の車両駆動用電動機において、必要であった軸側の軸受け抑えがいらなくなった。軸側の軸受け押さえを使用しなくても良いので、本実施形態の車両駆動用電動機は、部品点数を減らすことが出来る。
このように構成された車両駆動用電動機において、送風ファン１２と加速ファン２３の羽根枚数が、互いに割り切れない値になっているため、ファンを回転したときに発生する音のピーク周波数が異なる。送風ファン１２から発生する音のピーク周波数と、加速ファン２３から発生する音のピーク周波数がそれぞれ異なるために、結果として人間には音が小さく聞こえるといったメリットがある。
このように構成された車両駆動用電動機において、車両駆動用電動機内には、塵や埃のない空気が流れる。そのため、車両駆動用電動機内が汚れづらくなっている。車両駆動用電動機内が汚れづらくなっているため、本実施形態の車両駆動用電動機では、メンテンス期間の延長を図ることができる。
本実施形態では、加速ファン23の羽根枚数を５枚とし送風ファン12の羽根枚数を７枚としたが、本発明では、主ファンと補助ファンの羽根枚数が互いに割り切れない値になっていれば良いので、５枚と７枚の組み合わせのみに限定はしない。
【００１５】
（第３の実施形態）
本発明に基づく第３の実施形態の車両駆動用電動機について、図を参照し詳細に説明する。図５は、本発明に基づく第３の実施形態の車両駆動用電動機の断面図である。図１に記載したものと構造上同一のものについては、同符号を付し説明を省略する。
本発明に基づく第３の実施形態の車両駆動用電動機は、フレーム１，ブラケット２，ハウジング３，軸受け４，軸受け５，ロータシャフト６，ロータ鉄心７，ロータバー８，エンドリング９，ステータ鉄心１０，ステータコイル１１，主ファンである送風ファン１２，検出板１３，速度センサー１４，入気口１５，排気口１６，ブラケット１８，カバー２０，外気進入風道２０ａ，外気取り入れ口21，塵埃排出口２２，補助ファンである加速ファン２３，ファン羽根２４，張り出し部２５により構成されている。
このように構成された車両駆動用電動機において、フレーム１とハウジング３が係合している。フレーム１とカバー２３が係合している。
このように構成された車両駆動用電動機において、フレーム１には二つの塵埃はき出し口２２が１８０度間隔で設けられている。また、フレーム１の反駆動端側端部には、円周状の張り出し部２５が形成されている。この円周状の張り出し部２５によりフレーム１とカバー２３は係合している。ブラケット２には、複数の排気口１６等間隔に配置されている。カバーの内径部には、多数の打ち抜き穴からなる外気取り入れ口２１が設けられている。
【００１６】
このように構成された車両駆動用電動機において、複数の排気口１６と複数の外気取り入れ口２１を有しているため、材料の削減をはかることができる。また、複数の排気口１６と複数の外気取り入れ口２１を設けているため、車両駆動用電動機の吸気性能と排気性能の向上をはかることが出来る。
本発明の車両駆動用電動機では、材料については限定しない。また本発明の車両駆動用電動機では、ブラケットとフレームが一体化されているものでもよい。
【００１７】
【発明の効果】
通風ろ過機を用いることなく、電動機内の汚損を防いで保守の省力化を図ることができる車両駆動用電動機を提供することができる。
【図面の簡単な説明】
【図１】本発明に基づく第１の実施形態の車両駆動用電動機の断面図である。
【図２】本発明に基づく第１の実施形態の車両駆動用電動機の正面図である。
【図３】本発明に基づく第２の実施形態の車両駆動用電動機の断面図である。
【図４】本発明に基づく第２の実施形態の車両駆動用電動機の正面図である。
【図５】本発明に基づく第３の実施形態の車両駆動用電動機の断面図である。
【図６】従来の車両駆動用電動機の断面図である。
【符号の説明】
１―フレーム
２−ブラケット
３−ハウジング
４−軸受け
５−軸受け
６−ロータシャフト
７−ロータ鉄心
８−ロータバー
９−エンドリング
１０−ステータ鉄心
１１−ステータコイル
１２−送風ファン
１３−検出板
１４−速度センサー
１５−入気口
１６−排気口
１７−通風ろ過器
１７ａ―フィルター
１８−ブラケット
１９−整風板
２０−カバー
２０ａ−外気進入風道
２１−外気取り入れ口
２２−塵埃排出口
２３−加速ファン
２４−ファン羽根
２５−張り出し部
【図１】
0003838929.tif 000002
【図２】
0003838929.tif 000003
【図３】
0003838929.tif 000004
【図４】
0003838929.tif 000005
【図５】
0003838929.tif 000006
【図６】
0003838929.tif 000007